(57)【要約】【課題】携帯に便利であるとともに、適温水の洗浄が可能で、水量調節が自由に行なえ、かつ扱い易い温水ウォッシュレットを得ることを目的とする。【解決手段】外筒１の上端の開閉可能の注水口２の開口部が斜め上方に向くように形成され、外筒上部に温度センサ３とそれに連なる電気ヒーター１１を有して、この電気ヒーター１１をタンク１０に内蔵し、外筒下部にはポンプ１７とこれにパイプを介して接続する出し入れ可能のノズル２４を設けた。【選択図】          図１
2004351048.tif 000002
【特許請求の範囲】
【請求項１】
外筒の上端に配置され、開いた時その注水開口部が蛇口からの給水が容易なように斜め上方向に向くようにした開口部を有する開閉可能の注水口と、この注水口の下部に設置された貯水タンクと、このタンク内に挿入された電気ヒーターと、この電気ヒーターに接続され外筒上部に収納された温度センサと、上記タンクの下部にフィルターとパイプを介して配置され上記外筒表面に設けられたスイッチにより作動するポンプと、このポンプの出口側にパイプを介して接続され、先端にダイヤル式ノズルを有する出し入れ可能の回転式ノズルを備えたことを特徴とする携帯式温水ウォッシュレット。
【請求項２】
上記ノズルは上記外筒底部に回転可能に枢着されており、かつその前端部には傾斜して設置されたダイヤル式ノズルが設けられていることを特徴とする請求項１記載の携帯式温水ウォッシュレット
【発明の詳細な説明】
【０００１】
【発明の属する技術分野】
この発明は、人体の尻部の洗浄に供する携帯用の温水ウォッシュレットの改良に関する。
【０００２】
【従来の技術】
この種のもので従来一般に市販されているものとして、水を噴出するようにしたものは既に提案されている。
【０００３】
【発明が解決しようとする課題】
しかし、従来のものは、例えば次に示すような多くの問題点があった。
▲１▼  温水が出ない。
▲２▼  一回の使用可能な水量が十分でない。
▲３▼  噴出する水量調節が十分でない（強弱の２段階のみ）。
▲４▼  注水（給水）口の形状が使用に際しふさわしくない（水道の蛇口との適合性が悪い）。
▲５▼  ノズルの形状が好ましくない。
▲６▼  ボディー（外筒）そのものの形状又はその材質が握りにくく、かつ滑りやすいものであった）。
【０００４】
この発明は、上記のような問題点を解決するためになされたもので、例えば、適温水の洗浄が無段階に可能で水量調節ができるなど、その他多くの特長を有するとともに、扱いに便利な携帯式ウォッシュレットを提供せんとするものである。
【０００５】
【課題を解決するための手段】
この発明の請求項１に係る携帯式温水ウォッシュレットは、外筒の上端に配置され、開いた時その注水開口部が蛇口からの給水が容易なように斜め上方向に向くようにした開口部を有する開閉可能の注水口と、この注水口の下部に設置された貯水タンクと、このタンク内に挿入された電気ヒーターと、この電気ヒーターに接続され外筒上部に収納された温度センサと、タンクの下部にフィルターとパイプを介して配置され外筒表面に設けられたスイッチにより作動するポンプと、このポンプの出口側にパイプを介して接続され、先端にダイヤル式ノズルを有する出し入れ可能の回転式ノズルを備えたものである。
【０００６】
【発明の実施の形態】
実施の形態１．
図１はこの発明の実施の形態１を示す断面図、図２は実施の形態１を示す外観図である。
図１，図２において、１は表面に波形の凹凸を付けて握り易く形成したプラスチック製の円筒形外筒（例えば直径７ｃｍ、縦１５ｃｍ程度）であり、２はこの外筒の上部に設けられた開閉式注水（給水）口で、図１では開いた状態を示しており、このときその開口部２ａは外筒を傾けた状態で矢印Ａより蛇口からの給水が容易なように斜め上方を向くように設定されている。なおこれをＢ方向へ閉じると、図２で示す状態のようにその蓋部２ｂで外筒の天井部を塞ぐようになっている。３は外筒上部室に内蔵した温度センサ、４はその調節用スライド式スイッチ、５はセンサの作動の状態を認識するためのパイロットランプ又はレディライト、６はバッテリーボックス６ａに挿入されたバッテリー、７は止めネジ、８，９はゴムＯリング、１０はタンクである。１１はタンク１０に挿入され上記温度センサ３に接続する電気ヒーターであり、１２はその周りを囲む電気ヒーターカバーで、ヒーターは熱効率向上のためカバーの下方へ突き出し調節できるようになされている。１３はタンク１０の下部に配置されたフィルター、１４はこのフィルター１３と接続するビニルパイプ、１５，１６はゴムＯリング、１７は上記パイプ１４と接続するポンプ、１８はスイッチ、１８ａはスイッチ用ゴムカバー、１９は駆動モータ、２０はバッテリーである。なお、２１，２２はゴムＯリング、２３はこの止めねじである。
次に、２４は外筒底部に開閉可能（図１の収納、図２の突出状態可能）に枢着された回転式ノズル本体で、ビニルパイプ２５を介してポンプ１７に接続されており、その先端にダイヤル式ノズル２６を備えている。
なお、このノズル２６は中心部の穴とその周りに複数個の小穴を備えた円盤の周囲にローレット（ギザ）を設けたものである。
図１はノズル本体２４が外筒１の側面部のくぼみ１ａに収納されている状態を示し、図２はこのノズル本体２４がその枢着部（軸穴兼水通路）２７より１８０度回転して下方に突き出た状態（使用する状態）を示している。またダイヤル式ノズル２６は穴付回転盤を有して強弱調節が自由にできるようになっている。２８は外筒側部に設けられたストラップ取付部、２９は長さ調節可能のストラップ、３０はストッパ（内側）である。
【０００７】
以上のようなものにおいて、次にその動作について説明する。
まず、図１のように、注水口２を開けた状態にしてその開口部２ａを水道の蛇口の下に配置し、タンク１０内に注水する。このとき、前述したように開口部２ａは斜め方向に向いているので、外筒を傾けた状態で注入することができる。この点この開口部が従来のように真上に向いていると本体（外筒）を真直ぐに立てなければならないので、その長さにより下につかえて蛇口からの給水が不可能な状態となる。そして、タンク１０への注入水は温度センサ３とヒーター１１の作用により適温に設定される。
次に使用に際しては、指で押している間がＯＮ状態のスイッチ１８を押すことで、駆動モータ１９及びポンプ１７が作動し、タンク内の温水はフィルター１３及びパイプ１４，２５を通ってノズル２４へ給送されることになる。このとき、該ノズル２４は図２のように外筒の真下に突き出した状態にしておき、その先端のダイヤル式ノズル２６が斜め方向へ噴き出す態勢になっているので、図２のように温水を噴出することで洗浄することができるものとなる。
【０００８】
【発明の効果】
以上のようにこの発明によれば、温度センサと電気ヒーターを備えていて適温水での洗浄が可能であるため、例えば術後や痔疾の人などが用いて、患部の衛生を保つことができるとともに、血行を促進し、治癒を促すことができる。特に、寒冷期における外出時に最適であり、ひいては患部の化膿を避けることができる。
また、携帯に便利であるので、医療現場（入院中の患者）、介護現場（居宅，施設等における高齢者の介護）において、ベッド上或いはベッド近くでの洗浄が可能である。さらに、病人は勿論のこと、一般の方が外出先で使用することも容易である。
また、ノズル本体の先端に水量調節が自由にできるダイヤル式ノズルを傾斜した状態で備えているので、噴出温水の方向性、適合性が極めて良好である。
【図面の簡単な説明】
【図１】この発明の実施の形態１を示す断面図であり、注水口を開けた状態を示している。
【図２】この発明の実施の形態１を示す斜視図であり、注水口は閉じ、かつノズルを出して使用時の状態を示している。
【符号の説明】
１  外筒、２  注水口、３  温度センサ、１０  タンク、１１  電気ヒーター、１７  ポンプ、２４  回転式ノズル本体、２６  ダイヤル式ノズル。
【図１】
2004351048.tif 000003
【図２】
2004351048.tif 000004